(57)【要約】【課題】顧客が製品の創作に関与したオリジナル商品を、顧客端末と製品提供業者のｗｅｂサイトとを接続する通信回線を介して交信して提供する。【解決手段】顧客コンピュータに、製品提供業者のｗｅｂサイトのｗｅｂページに取込んで、その素材画像の群から選んだ画像を、上記ｗｅｂページで提供している加工メニューにより加工して製品提供業者のｗｅｂサイトに送る。【選択図】　　　図３
2004038792.tif 000002
【特許請求の範囲】
【請求項１】
製品提供業者のｗｅｂサイトとインターネット等の通信回線を介して接続されている顧客端末との間で交信して顧客が製品創作に関与するようにしたオリジナル製品提供方法において、
顧客が顧客端末のコンピュータから顧客の姓名、身長、体重、製品の取扱レベル等を入力して製品提供業者のｗｅｂサイトに送るステップと、
製品提供業者が、自身の管理するｗｅｂサイトのｗｅｂページにおいて、複数の製品加工パターン及び該製品加工パターンの創作的加工メニューとを表示するステップと、
顧客が、顧客端末コンピュータに、製品提供業者の前記ｗｅｂページを取込んで、前記ｗｅｂページに掲載されている製品化パターンを、該製品加工パターンの創作的加工メニューに基づいて加工し、加工されたｗｅｂページを製品提供業者のｗｅｂサイトのｗｅｂサーバに送るステップと、
製品提供業者が、前記送られて来た加工されたｗｅｂページに基づいて製品を製作することが加工技術的又は性能的に許容不能なものであるとき、許容不能であることを顧客端末に伝送するステップと、
製品提供業者が、顧客から送られて来た加工されたｗｅｂページに基づいて製品が許容可能であれば当該製品の注文を確認し、製品を製作するステップとを有する
ことを特徴とするオリジナル製品提供方法。
【請求項２】
顧客端末に取込んだ、製品提供業者ｗｅｂサイトのｗｅｂページに、掲載されている複数の製品加工パターンの中に顧客の希望する製品加工パターンが存在しない場合、顧客端末のコンピュータにデジタルカメラ、イメージリーダ等を介して顧客独自の製品加工パターンを組込み、製品提供業者の前記ｗｅｂページに掲載されている創作的加工メニューに基づいて製品パターンを形成し、加工されたｗｅｂページを製品提供業者のｗｅｂサイトに送るステップを有する請求項１記載のオリジナル製品提供方法。
【発明の詳細な説明】
【０００１】
【発明の属する技術分野】
本発明は、顧客と製品提供業者とが製品に関する情報をインターネット等の通信回線を利用して交信して、顧客が製品の創作に関与するようにした顧客１人１人のオリジナル製品を提供する方法に関する。
【０００２】
【従来の技術】
従来より、製品提供業者のｗｅｂサイトのサーバのｗｅｂページに、製品提供業者が各製品に対して予め用意した種々のデザインや形態を載せておき、顧客がそのｗｅｂページの閲覧を要求したとき、そのｗｅｂページの顧客のコンピュータ端末に送信され、顧客はそのｗｅｂページに掲載されていた各種デザインのうちから希望するものを、マウスボタンをクリックすることにより選択して注文することは公知である。
【０００３】
【発明が解決しようとする課題】
従来のオリジナル製品提供方法は、顧客が製品提供業者の提供している製品の種々の材料とか種々の色、種々の形態、種々の模様等から、それぞれ１つを選択して注文するものであり、顧客のオリジナル製品といっても、その選択の組合せが予め決まった限られた数となり、顧客の１人１人のオリジナリティを有する製品というものではなかった。本発明の課題は、顧客のオリジナリティを出来るだけ高めるために、創作に顧客が積極的に参加できるようにした製品提供方法を提案することである。
【０００４】
【課題を解決するための手段】
上記目的を達成するために本発明は、
顧客が顧客端末のコンピュータから顧客の姓名、身長、体重、製品の取扱レベル等を入力して製品提供業者のｗｅｂサイトに送るステップと、
製品提供業者が、自身の管理するｗｅｂサイトのｗｅｂページにおいて、複数の製品加工パターン及び該製品加工パターンの創作的加工メニューとを表示するステップと、
顧客が、顧客端末コンピュータに、製品提供業者の前記ｗｅｂページを取込んで、前記ｗｅｂページに掲載されている製品化パターンを、該製品加工パターンの創作的加工メニューに基づいて加工し、加工されたｗｅｂページを製品提供業者のｗｅｂサイトのｗｅｂサーバに送るステップと、
製品提供業者が、前記送られて来た加工されたｗｅｂページに基づいて製品を製作することが加工技術的又は性能的に許容不能なものであるとき、許容不能であることを顧客端末に伝送するステップと、
製品提供業者が、顧客から送られて来た加工されたｗｅｂページに基づいて製品が許容可能であれば当該製品の注文を確認し、製品を製作するステップとを有する
ことを特徴とする。
【０００５】
さらに本発明によれば、顧客端末に取込んだ、製品提供業者ｗｅｂサイトのｗｅｂページに、掲載されている複数の製品加工パターンの中に顧客の希望する製品加工パターンが存在しない場合、顧客端末のコンピュータにデジタルカメラ、イメージリーダ等を介して顧客独自の製品加工パターンを組込み、製品提供業者の前記ｗｅｂページに掲載されている創作的加工メニューに基づいて製品パターンを形成し、製品提供業者のｗｅｂサイトに送るステップを有する。
【０００６】
本発明により、製品提供業者のｗｅｂサイトのｗｅｂページに表示されている製品のパーツ等を顧客がコンピュータ端末に取込んで加工して製品提供業者のｗｅｂサーバに送るので、顧客は自分の希望する顧客１人１人のオリジナル製品を入手することができる。
【０００７】
【発明の実施の形態】
本発明の製品提供方法をスノーボードを提供する場合について説明する。
【０００８】
図１において、顧客端末１のパーソナルコンピュータ１０は、インターネット等の通信回線２を介して製品提供業者のｗｅｂサイト３のｗｅｂサーバ３１と接続されている。
【０００９】
まず顧客端末１のパーソナルコンピュータ１０により顧客の姓名、身長、体重、その製品の取扱いレベル例えば技能レベル、滑走タイプのデータを入力してインターネットを経由して製品提供業者のｗｅｂサイト３に伝送する。製品提供業者はｗｅｂサイト３から、スノーボードに対する顧客に適した標準加工パターンを、素材、形状等を組合せて顧客端末１に伝送する。顧客は製品提供業者のｗｅｂサイト３のｗｅｂページ３２に表示されている形態を、顧客端末１のパーソナルコンピュータ１０に取込み加工する。次いで、顧客端末１で創作加工し、製品提供業者のｗｅｂサイト３に伝送する。もちろん製品提供者はそれが性能的に例えば強度に問題があれば許容できない旨そのｗｅｂサーバ３１から顧客端末１に伝送する。製品提供業者は顧客から送られて来た加工されたｗｅｂページに基づいて製品が許容可能であれば、当該製品の注文を確認し、製作する。
【００１０】
次にスノーボードの加工の一例として塗装の場合について顧客が、製品提供業者がｗｅｂサイト３のｗｅｂページ３２に表示された塗装アイテムから顧客の所望のオリジナルデザインとするかにつき説明する。
【００１１】
図２は製品提供業者のｗｅｂサイト３のｗｅｂページ３２を示す。顧客はこのｗｅｂページ３２を顧客端末１のパーソナルコンピュータに取込む。まず図２において、ボードの表面２００上に顧客が自分の好みの下地模様を選択して描く場合について説明する。最初に下地模様を描ける状態にするＰＡＩＮＴシンボル２０１を選択してクリックする。次いでスプレーシンボル２０２を選んで、非霧吹スプレー状態と霧吹スプレー状態のどちらかを選ぶ。なおクリック切換えにより非霧吹スプレー状態から霧吹スプレー状態に切換わる。シンボル２０３はそれをライン２０４に沿って左右に移動して位置決めすることによって、２０５−１〜２０５−６の正方形で囲んで示す領域内の加工パターン図形、例えば領域２０５−１を選んだ場合、円図形の大きさを決めることができる。なお、領域２０５の上方のＮＥＸＴ＞のシンボルをクリックすると、領域２０５−７〜２０５−１１が表示されるようになっている。
【００１２】
シンボル２０３をライン２０４の一番右側に位置決めしたとき、最大に大きい円図形にサイズ調節され、シンボル２０３をライン２０４の左側に向かってシフトすることにより徐々に小さくなる。ライン２０６上のシンボル２０７の位置を調節することにより、０°〜３６０゜の範囲で領域２０５内の図形を回転させることができる。正方形の領域２０８は、水平方向に各種の色の色相すなわち赤色、橙色、黄色、黄緑色、緑色、青色、紫色と左から右に配列されておりかつその色の彩度が垂直方向に上から下に向かって彩度が高くなるように配列されている。シンボル２０９を図示の位置に選択してクリックした場合、彩度５の青色が選択される。
【００１３】
また、シンボル２１０を選択し垂直なライン２１１に沿って位置決めすることにより明度が決まり、その時の明度の色相の色が正方形の領域２１２に表示される。
【００１４】
さて、スノーボード２００の表面上に下地塗装パターンを創作加工する方法について説明する。
【００１５】
（１）着色しようとする色相の色及び彩度を、シンボル２０９の位置をマウスを用いて位置調節して決める
（２）選んだ色相の明度をシンボル２１０のライン２１１上での位置調節によって決める
（３）スノーボード上に描くべき加工パターンの図形を領域２０５の１つを選択することにより決める
（４）ライン２０４上でのシンボル２０３の位置調整により領域２０５内の図形の拡大率を決める
（５）領域２０５の図形をその中心の周りに何度回転するか、ライン２０６上でシンボル２０７を調節して決める。
【００１６】
（６）以上のように設定した後、例えば領域２０５−１の円図形をスノーボード２００の表面の希望位置にマウスで設定し、円図形２１３−１を描く。次いで同一図面をスノーボード２００の表面の別の位置に移動してクリックすることにより、円図形２１３−２，２１３−３を描くことができる。
【００１７】
（７）さらに同一円図形で拡大率の大きいサイズの円図形をスノーボード上に描くには、サイズ調節シンボル２０３をライン２０４上で右方に位置調節し、スノーボード表面２００上でポインタをマウスで位置決めしてクリックすることにより、大きいサイズの円図形２１３−４，２１３−５を描くことができる。また例えば円図形２１３−４をスノーボード２００の表面上の所望位置でマウスを押したまま例えば右方向に動かすことにより、円図形が長円形に引伸ばされた形のものを描くことができる。
【００１８】
さらにその他の領域例えば２０５−２の正方形の図形も、スノーボード２００の表面に同様に、例えば２１４−１のように描くことができる。この場合図から明らかなように、領域２０５−１の円図形の上に重ねて描くこともでき、しかもライン２０６上のシンボル２０７の位置調節により、この正方形の図形をその中心点の周りに所望の角度回転することができる。以下下地模様として簡単な幾何学的図形を用いて説明したが如何なる模様であってもよい。
【００１９】
以上の説明から明らかなように、顧客の嗜好に合った下地を、顧客自身の創作により又は製品提供業者のｗｅｂページに提供されている画素材を加工して、スノーボード表面に描くことができる。
【００２０】
その上製品提供業者のｗｅｂページに表示されていない画素材、すなわち顧客のコンピュータ端末上に取込んだ、製品提供業者のｗｅｂサイトのｗｅｂページに顧客がデジタルカメラ、イメージリーダないしコンピュータを介して顧客自身が作成した画素材を用いるようにｗｅｂページを加工して、各種図柄の下地模様をスノーボード２００の表面に描くことができる。
【００２１】
次にスノーボードの表面２００の下地模様上に顧客が芸術的に表現したい上柄画を描く場合について説明する。
【００２２】
この場合図２の顧客端末１のパーソナルコンピュータ１０に取込んだ製品提供業者のｗｅｂサイトのｗｅｂページのＣＬＩＰＡＲＴシンボル３００をクリックすると、図３に示すように領域３０１の画像が表示される。次いでジャンルシンボル３０２をクリックすると、花びら、虫のジャンルのカラー画像のグループの画像領域３０７−１〜３０７−１０が表示される。ＮＥＸＴ＞のシンボルをクリックするとこのジャンルの種々のカラー画像のグループの画像領域３０７−１１〜３０７−２０が表示される。
【００２３】
動物のジャンルシンボル３０３をクリックすると図４に示すように領域３０１の画像は切換わり、動物のカラー画像のグループの画像領域が表示される。また乗物のジャンルのシンボル３０４をクリックすると、図５に示すように乗物のカラー画像のグループの画像領域が表示され、少女のジャンルのシンボル３０５をクリックすると、図６に示すように少女のカラー画像のグループの画像領域が表示される。なおその他のジャンルのシンボル３０６をクリックすると、その他のカラー画像のグループの画像領域が表示される。
【００２４】
図３において、サイズシンボル３０９のライン３０８上での位置を調節することにより、各ジャンルの画像グループの中から選択された画像のサイズの拡大率を決定できる。例えばライン３０８の右側に向かってシンボル３０９をマウスを用いてシフトすることによって、拡大率を大きくすることができる。
【００２５】
またライン３１０上での回転シンボル３１１の位置を選択することによって、各ジャンルの画像グループの中から選択された画像の画像中心点の周りでの回転を０゜〜３６０゜の間で選択することができる。
【００２６】
ライン３１２上での明度シンボル３１３の位置をマウスを用いて調節することにより、各ジャンルのカラー画像のグループの画像領域の画像の明度を調節することができる。
【００２７】
次に下地処理されたスノーボード表面上に上柄画を描く手順は
（１）ＣＬＩＰＡＲＴのシンボル３００をクリックする
（２）例えば花、虫ジャンルのシンボル３０２をクリックする
（３）例えば画像グループの中の画像３０７−２をクリックする
（４）サイズシンボル３０９のライン３０８上での位置をマウスにより位置調節して、スノーボード表面２００上で画像３０７−２のサイズを選択する
（５）選択されたグループの中の画像３０７について、その画像中心の周りで回転シンボル３１１のライン３１０上での位置をマウスにより調整して３１５°に選択する
（６）画像３０７−２のカラー画像の明度をマウスを用いて７に選択する
（７）ポインタをマウスによりスノーボード表面３１４に設定してクリックすると図３に示すように蝶の画像３０７−２が拡大されて３１５°回転されて、明度７で表示される。
【００２８】
（８）ライン３０８上のサイズシンボル３０９を左側にマウスにより画像３０７−２のサイズを僅か小さく選定した後、ポインタをスノーボードの表面の３１５に設定してクリックすると、３１５を中心として３１５°の回転角で蝶の画像が表示される。
【００２９】
（９）次に同じジャンルの画像グループの画像３０７−９を選択し、画像サイズシンボル３０９及び回転シンボル３１１及び明度シンボル３１３を調節してスノーボード表面でポインタを３１６の位置に位置決めしてクリックすると、画像３０７−９の画像が３１６の位置を中心に表示される。
【００３０】
（１０）以上、花、虫ジャンルの画像グループの画像をスノーボード表面上に表示したが、図４に示すように、ジャンルシンボル３０３をクリックして、その画像グループの動物画像をスノーボード上に表示することはもちろんジャンルシンボル３０２から選択した画像を表示したスノーボード表面上に両者の画像を組合わせたり、図５に示すように、乗物ジャンルのシンボル３０４をクリックして表示された画像グループからの画像とか、図６に示す少女のジャンルのシンボル３０５をクリックして表示された画像グループからの画像等を混ぜて、図４のスノーボード２００の表面に描かれているように描くことができる。
【００３１】
また、それぞれのジャンルの画像グループにもちろん顧客がデジタルカメラとかイメージリーダで顧客独自で創作した画像を各ジャンルの画像グループの中の画像としてｗｅｂページの画像の中に取込み、シンボル３０９，３１１，３１３等の加工メニューにより加工した画像をスノーボード表面に描くこともできる。
【００３２】
以上のようにして顧客は、顧客のコンピュータ端末に製品提供業者のｗｅｂサイトのｗｅｂページを取込んで、製品提供業者が提供した素材画像を、製品提供業者のｗｅｂページに示されている加工メニューに基づいて創作加工するので、世の中に１つしか存在しない顧客のオリジナル製品を顧客コンピュータ端末で画像としてみることができる。
【００３３】
このように加工されたｗｅｂページを製品提供業者のｗｅｂサイトに送り、製品提供業者はそれに基づいて顧客に製品を提供する。
【００３４】
以上はスノーボードの表面塗装加工を例として説明したが、サーフィンやローラボード、スキー、椅子等のオリジナル製品の提供にも適用できることは明らかである。
【００３５】
その他塗装のみならず彫刻加工、陶器の絵柄加工へ適用する顧客のオリジナル製品を容易に提供することができる。
【００３６】
【発明の効果】
本発明により、製品提供業者がｗｅｂページで提供している素材画像を同じくそのｗｅｂページで提供している加工メニューにより顧客が創作加工するため、顧客の個性が溢れたオリジナル製品を提供でき、しかも顧客がその製品の完成品の画像を顧客のコンピュータ画面上で確認でき、顧客の創作意欲が向上されるという付加的な効果がある。
【００３７】
さらに製品提供業者が提供している素材画像のほかに顧客独自の素材画像を、顧客のコンピュータにデジタルカメラ又はイメージリーダを介して製品提供業者から取込んだｗｅｂページに挿入して、製品提供業者のｗｅｂページに提供されている加工メニューにより創作加工することにより、一層顧客の個性のあるオリジナル製品とすることができる。
【図面の簡単な説明】
【図１】本発明の方法を通信回線を介して実施する際の通信に関係する構成要素を示すブロック図である。
【図２】製品提供業者のｗｅｂサイトのｗｅｂページを顧客コンピュータに取込んで加工した画面を示す図である。
【図３】顧客コンピュータ上の加工画面を示す図である。
【図４】顧客コンピュータ上の加工画面を示す図である。
【図５】製品提供業者のｗｅｂサイトのｗｅｂページ画面を示す図である。
【図６】顧客コンピュータ上の加工画面を示す図である。
【符号の説明】
１　顧客端末
２　インターネット
３　製品提供業者のｗｅｂサイト
１０　パーソナルコンピュータ
１１　イメージリーダ
３１　ｗｅｂサーバ
３２　ｗｅｂページ
２００　スノーボード表面
２０１　ＰＡＩＮＴシンボル
３００　ＣＬＩＰＡＲＴシンボル
３０２　花、虫ジャンルシンボル
３０３　動物ジャンルシンボル
３０４　乗物ジャンルシンボル
３０５　少女ジャンルシンボル
３０６　その他ジャンルシンボル
３０７　画像グループ
３０９　サイズシンボル
３１１　回転シンボル
３１３　明度シンボル
【図１】
2004038792.tif 000003
【図２】
2004038792.tif 000004
【図３】
2004038792.tif 000005
【図４】
2004038792.tif 000006
【図５】
2004038792.tif 000007
【図６】
2004038792.tif 000008